(57)【要約】【課題】  曲データや楽曲データベースの楽曲情報を蓄積する記憶手段を有する端末装置において、簡単かつ安価にその楽曲情報を更新することのできる更新システムである。【解決手段】  送信手段２０として、曲データや楽曲データベース情報を含む楽曲情報を蓄積する送信側記憶手段２１と、該楽曲情報を放送チャネルに乗せて放送する送信手段２３と、を有し、端末装置３０として、その放送波を受信する受信手段３１と、受信した該放送波から楽曲情報を抽出する抽出手段３２と、抽出された該楽曲情報により受信側記憶手段３４内の情報を更新する更新手段３３と、を有する。【選択図】      図１
2005070416.tif 000002
【特許請求の範囲】
【請求項１】
曲データおよび楽曲データベース情報の少なくとも一方を含む楽曲情報を蓄積する送信側記憶手段と、該楽曲情報を放送チャネルに乗せて放送する送信手段と、を有する送信装置と、
前記放送チャネルの放送波を受信する受信手段と、受信した該放送波から前記楽曲情報を抽出する抽出手段と、抽出された該楽曲情報により受信側記憶手段内の情報を更新する更新手段と、を有する端末装置と、
からなることを特徴とする楽曲情報の更新システム。
【請求項２】
前記放送チャネルは、（ｉ）ラジオ放送のうち予め設定された特定チャネルか、（ii）ＴＶ放送のうち予め設定された特定チャネルか、（iii）デジタル放送中に予め設定された特定チャネルのいずれかであることを特徴とする請求項１記載の楽曲情報の更新システム。
【請求項３】
前記楽曲データベース情報は、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項１又は２記載の楽曲情報の更新システム。
【請求項４】
前記端末装置は、所望の曲データを含む楽曲情報を前記受信側記憶手段に追加したい旨の要求および当該端末の識別情報を前記送信装置に送信する曲要求送信部と、をさらに備え、
前記送信装置は、前記端末装置からの前記曲要求および前記端末の識別情報に基づいて当該端末装置に対して課金処理を行う課金処理部と、をさらに備えることを特徴とする請求項１〜３のいずれか一項記載の楽曲情報の更新システム。
【請求項５】
前記送信装置は、前記曲データを放送するスケジュールを示すスケジュールリストを、前記端末装置に対して放送するスケジュール送信部をさらに備えることを特徴とする請求項１〜４のいずれか一項記載の楽曲情報の更新システム。
【請求項６】
前記送信装置は、送信すべき前記楽曲情報を前記送信側記憶手段から抽出する選定手段をさらに備えることを特徴とする請求項１〜５のいずれか一項記載の楽曲情報の更新システム。
【請求項７】
前記送信装置は、前記送信側記憶手段に格納すべき前記楽曲情報を選定かつ収集する選定手段をさらに備えることを特徴とする請求項１〜６のいずれか一項記載の楽曲情報の更新システム。
【請求項８】
前記選定手段は、各楽曲提供事業者での放送回数に基づいて前記楽曲情報の選定を行うことを特徴とする請求項６又は７記載の楽曲情報の更新システム。
【請求項９】
前記選定手段は、これに連携する各楽曲提供事業者間で生成されるパワープレイ情報に基づいて前記楽曲情報の選定を行うことを特徴とする請求項６又は７記載の楽曲情報の更新システム。
【請求項１０】
前記選定手段は、各楽曲提供事業者による各種人気ランキングに基づいて前記楽曲情報の選定を行うことを特徴とする請求項６又は７記載の楽曲情報の更新システム。
【請求項１１】
前記選定手段は、各楽曲提供事業者間による新譜リリース情報に基づいて前記楽曲情報の選定を行うことを特徴とする請求項６又は７記載の楽曲情報の更新システム。
【請求項１２】
前記選定手段は、前記端末装置からの前記曲要求に基づいて前記楽曲情報の選定を行うことを特徴とする請求項６又は７記載の楽曲情報の更新システム。
【請求項１３】
前記送信手段は前記楽曲情報を、常時繰り返して、または所定の日時に周期的に、送信することを特徴とする請求項１〜１２のいずれか一項記載の楽曲情報の更新システム。
【請求項１４】
前記送信手段は、前記楽曲情報を前記放送チャネルに乗せるためのフォーマットに変換する変換機能部をさらに備えることを特徴とする請求項１〜１３のいずれか一項記載の楽曲情報の更新システム。
【請求項１５】
前記選定手段は、前記送信側記憶手段の全ての前記楽曲情報か、または該送信側記憶手段に最新に追加された差分楽曲情報か、のいずれかを前記送信手段に送出することを特徴とする請求項６記載の楽曲情報の更新システム。
【請求項１６】
前記抽出手段は、所定のフォーマットで前記放送波に挿入された前記楽曲情報を、そのフォーマットに従って抜き出すことを特徴とする請求項１〜１５のいずれか一項記載の楽曲情報の更新システム。
【請求項１７】
前記更新手段は、前記送信装置側の送信側記憶手段からその全ての楽曲情報を受信したとき、前記受信側記憶手段を、その全ての楽曲情報にて書き換えることを特徴とする請求項１〜１６のいずれか一項記載の楽曲情報の更新システム。
【請求項１８】
前記更新手段は、前記送信装置側の送信側記憶手段からのその全ての楽曲情報を受信したとき、その中から未収録の楽曲情報を割り出してこれを最新に追加された差分楽曲情報として前記受信側記憶手段に蓄積することを特徴とする請求項１〜１６のいずれか一項記載の楽曲情報の更新システム。
【請求項１９】
前記更新手段は、前記送信装置側の送信側記憶手段から最新に追加された差分楽曲情報を受信したとき、前記受信側記憶手段にその差分楽曲情報を追加して蓄積することを特徴とする請求項１〜１６のいずれか一項記載の楽曲情報の更新システム。
【請求項２０】
前記更新手段は、前記送信装置側から常時繰り返して、または所定の日時に周期的に送信される前記楽曲情報または前記差分楽曲情報を一旦保持し、これらの情報が既に受信済みの情報と同一でないことを検出したとき、前記受信側記憶手段に蓄積することを特徴とする請求項１７〜１９のいずれか一項記載の楽曲情報の更新システム。
【請求項２１】
曲データおよび楽曲データベースの少なくとも一方を含む楽曲情報を蓄積する送信側記憶手段と、
前記楽曲情報を、放送チャネルに乗せて放送する送信手段と、
を備えることを特徴とする楽曲情報の送信装置。
【請求項２２】
前記放送チャネルは、（ｉ）ラジオ放送のうち予め設定された特定チャネルか、（ii）ＴＶ放送のうち予め設定された特定チャネルか、（iii ）デジタル放送中に予め設定された特定チャネルのいずれかであることを特徴とする請求項２１記載の楽曲情報の送信装置。
【請求項２３】
前記楽曲データベースは、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項２１又は２２記載の楽曲情報の送信装置。
【請求項２４】
端末装置からの所望の曲データを含む楽曲情報を追加したい旨の要求および当該端末の識別情報を受信する曲要求受信部と、
前記端末の曲要求および前記端末の識別情報に基づいて当該端末装置に対して課金を行う課金処理部を備えることを特徴とする請求項２１〜２３のいずれか一項記載の楽曲情報の送信装置。
【請求項２５】
前記曲データを放送するスケジュールを示すスケジュールリストを、前記端末装置に対して放送するスケジュール送信部をさらに備えることを特徴とする請求項２１〜２４のいずれか一項記載の楽曲情報の送信装置。
【請求項２６】
送信すべき前記楽曲情報を前記送信側記憶手段から抽出する選定手段をさらに備えることを特徴とする請求項２１〜２５のいずれか一項記載の楽曲情報の送信装置。
【請求項２７】
前記送信側記憶手段に格納すべき前記楽曲情報を選定かつ収集する選定手段をさらに備えることを特徴とする請求項２１〜２５のいずれか一項記載の楽曲情報の送信装置。
【請求項２８】
前記選定手段は、各楽曲提供事業者での放送回数に基づいて前記楽曲情報の選定を行うことを特徴とする請求項２６又は２７記載の楽曲情報の送信装置。
【請求項２９】
前記選定手段は、これに連携する各楽曲提供事業者間で生成されるパワープレイ情報に基づいて前記楽曲情報の選定を行うことを特徴とする請求項２６又は２７記載の楽曲情報の送信装置。
【請求項３０】
前記選定手段は、各楽曲提供事業者による各種人気ランキングに基づいて前記楽曲情報の選定を行うことを特徴とする請求項２６又は２７記載の楽曲情報の送信装置。
【請求項３１】
前記選定手段は、各楽曲提供事業者間による新譜リリース情報に基づいて前記楽曲情報の選定を行うことを特徴とする請求項２６又は２７記載の楽曲情報の送信装置。
【請求項３２】
前記選定手段は、前記端末装置からの前記曲要求に基づいて前記楽曲情報の選定を行うことを特徴とする請求項２６又は２７記載の楽曲情報の送信装置。
【請求項３３】
前記送信手段は前記楽曲情報を、常時繰り返して、または所定の日時に周期的に、送信することを特徴とする請求項２１〜３２のいずれか一項記載の楽曲情報の送信装置。
【請求項３４】
前記送信手段は、前記楽曲情報を前記放送チャネルに乗せるためのフォーマットに変換する変換機能部をさらに備えることを特徴とする請求項２１〜３３のいずれか一項記載の楽曲情報の送信装置。
【請求項３５】
前記選定手段は、前記送信側記憶手段の全ての前記楽曲情報か、または該送信側記憶手段に最新に追加された差分楽曲情報か、のいずれかを前記送信手段に送出することを特徴とする請求項２６記載の楽曲情報の送信装置。
【請求項３６】
曲データおよび楽曲データベースの少なくとも一方を含む楽曲情報を蓄積する受信側記憶手段と、
放送波の特定チャネルに乗って送信される前記楽曲情報を受信する受信手段と、
受信した前記放送波から前記楽曲情報を抽出する抽出手段と、
抽出された前記楽曲情報により前記受信側記憶手段内の情報を更新する更新手段と、
を備えることを特徴とする楽曲情報の更新機能を有する端末装置。
【請求項３７】
前記楽曲データベース情報は、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項３６記載の楽曲情報の更新機能を有する端末装置。
【請求項３８】
所望の曲データを含む楽曲情報を前記受信側記憶手段に追加したい旨の要求および当該端末の識別情報を前記放送波を送信する送信装置に送信する曲要求送信部とをさらに備えることを特徴とする請求項３６又は３７記載の楽曲情報の更新機能を有する端末装置。
【請求項３９】
前記抽出手段は、所定のフォーマットで前記放送波に挿入された前記楽曲情報を、そのフォーマットに従って抜き出すことを特徴とする請求項３６〜３８のいずれか一項記載の楽曲情報の更新機能を有する端末装置。
【請求項４０】
前記更新手段は、受信した楽曲情報にて前記受信側記憶手段を書き換えるか又は前記受信側記憶手段に蓄積することを特徴とする請求項３６〜３９のいずれか一項記載の楽曲情報の更新機能を有する端末装置。
【請求項４１】
前記更新手段は、受信した楽曲情報の中から未収録の楽曲情報を割り出してこれを最新に追加された差分楽曲情報として前記受信側記憶手段に蓄積することを特徴とする請求項３６〜３９のいずれか一項記載の楽曲情報の更新機能を有する端末装置。
【請求項４２】
前記更新手段は、前記送信装置側から常時繰り返して、または所定の日時に周期的に送信される前記楽曲情報または前記差分楽曲情報を一旦保持し、これらの情報が既に受信済みの情報と同一でないことを検出したとき、前記受信側記憶手段に蓄積することを特徴とする請求項４０又は４１記載の楽曲情報の更新機能を有する端末装置。
【請求項４３】
送信装置と端末装置とを備える楽曲情報の更新システムにおける楽曲情報の更新方法であって、
前記送信装置において、
送信側記憶手段に格納されている曲データおよび楽曲データベース情報の少なくとも一方を含む楽曲情報を、放送チャネルに乗せて放送するステップと、を有し、
前記楽曲情報を蓄積するための受信側記憶手段を具備する前記端末装置において、
前記放送チャネルの放送波を受信するステップと、
受信した該放送波から前記楽曲情報を抽出するステップと、
抽出された該楽曲情報により前記受信側記憶手段内の情報を更新するステップと、
を有することを特徴とする楽曲情報の更新方法。
【請求項４４】
前記放送チャネルは、（ｉ）ラジオ放送のうち予め設定された特定チャネルか、（ii）ＴＶ放送のうち予め設定された特定チャネルか、（iii）デジタル放送中に予め設定された特定チャネルのいずれかであることを特徴とする請求項４３記載の楽曲情報の更新方法。
【請求項４５】
前記楽曲データベース情報は、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項４３又は４４記載の楽曲情報の更新方法。
【請求項４６】
前記端末装置は、所望の曲データを含む楽曲情報を前記受信側記憶手段に追加したい旨の要求および当該端末の識別情報を前記送信装置に送信するステップと、
前記送信装置は、前記端末装置からの前記曲要求および前記端末の識別情報に基づいて当該端末装置に対して課金処理を行うステップと、をさらに備えることを特徴とする請求項４３〜４５のいずれか一項記載の楽曲情報の更新方法。
【請求項４７】
前記送信装置は、前記曲データを放送するスケジュールを示すスケジュールリストを、前記端末装置に対して放送するステップをさらに備えることを特徴とする請求項４３〜４７のいずれか一項記載の楽曲情報の更新方法。
【請求項４８】
前記送信装置は、送信すべき前記楽曲情報を前記送信側記憶手段から抽出する選定ステップをさらに備えることを特徴とする請求項４３〜４７のいずれか一項記載の楽曲情報の更新方法。
【請求項４９】
前記送信装置は、前記送信側記憶手段に格納すべき前記楽曲情報を選定かつ収集する選定ステップをさらに備えることを特徴とする請求項４３〜４７のいずれか一項記載の楽曲情報の更新方法。
【請求項５０】
前記選定ステップは、各楽曲提供事業者での放送回数に基づいて前記楽曲情報の選定を行うことを特徴とする請求項４８又は４９記載の楽曲情報の更新方法。
【請求項５１】
前記選定ステップは、これに連携する各楽曲提供事業者間で生成されるパワープレイ情報に基づいて前記楽曲情報の選定を行うことを特徴とする請求項４８又は４９記載の楽曲情報の更新方法。
【請求項５２】
前記選定ステップは、各楽曲提供事業者による各種人気ランキングに基づいて前記楽曲情報の選定を行うことを特徴とする請求項４８又は４９記載の楽曲情報の更新方法。
【請求項５３】
前記選定ステップは、各楽曲提供事業者間による新譜リリース情報に基づいて前記楽曲情報の選定を行うことを特徴とする請求項４８又は４９記載の楽曲情報の更新方法。
【請求項５４】
前記選定ステップは、前記端末装置からの前記曲要求に基づいて前記楽曲情報の選定を行うことを特徴とする請求項４８又は４９記載の楽曲情報の更新方法。
【請求項５５】
前記放送ステップは前記楽曲情報を、常時繰り返して、または所定の日時に周期的に、送信することを特徴とする請求項４３〜５４のいずれか一項記載の楽曲情報の更新方法。
【請求項５６】
前記放送ステップは、前記楽曲情報を前記放送チャネルに乗せるためのフォーマットに変換するステップをさらに備えることを特徴とする請求項４３〜５５のいずれか一項記載の楽曲情報の更新方法。
【請求項５７】
前記選定ステップは、前記送信側記憶手段の全ての前記楽曲情報か、または該送信側記憶手段に最新に追加された差分楽曲情報か、のいずれかを前記送信手段に送出することを特徴とする請求項４８記載の楽曲情報の更新方法。
【請求項５８】
前記抽出ステップは、所定のフォーマットで前記放送波に挿入された前記楽曲情報を、そのフォーマットに従って抜き出すことを特徴とする請求項４３〜５７のいずれか一項記載の楽曲情報の更新方法。
【請求項５９】
前記更新ステップは、前記送信装置側の送信側記憶手段からその全ての楽曲情報を受信したとき、前記受信側記憶手段を、その全ての楽曲情報にて書き換えることを特徴とする請求項４３〜５８のいずれか一項記載の楽曲情報の更新方法。
【請求項６０】
前記更新ステップは、前記更新システムにおける送信装置側の送信側記憶手段からのその全ての楽曲情報を受信したとき、その中から未収録の楽曲情報を割り出してこれを最新に追加された差分楽曲情報として前記受信側記憶手段に蓄積することを特徴とする請求項４３〜５８のいずれか一項記載の楽曲情報の更新方法。
【請求項６１】
前記更新ステップは、前記更新システムにおける送信装置側の送信側記憶手段から最新に追加された差分楽曲情報を受信したとき、前記受信側記憶手段にその差分楽曲情報を追加して蓄積することを特徴とする請求項４３〜５８のいずれか一項記載の楽曲情報の更新方法。
【請求項６２】
前記更新ステップは、前記送信装置側から常時繰り返して、または所定の日時に周期的に送信される前記楽曲情報または前記差分楽曲情報を一旦保持し、これらの情報が既に受信済みの情報と同一でないことを検出したとき、前記受信側記憶手段に蓄積することを特徴とする請求項５８〜６１のいずれか一項記載の楽曲情報の更新方法。
【請求項６３】
楽曲情報を送信する送信装置の楽曲情報の送信方法であって、
送信側記憶手段に格納されている曲データおよび楽曲データベース情報の少なくとも一方を含む楽曲情報を、放送チャネルに乗せて送信するステップと、
を備えることを特徴とする楽曲情報の送信方法。
【請求項６４】
前記放送チャネルは、（ｉ）ラジオ放送のうち予め設定された特定チャネルか、（ii）ＴＶ放送のうち予め設定された特定チャネルか、（iii）デジタル放送中に予め設定された特定チャネルのいずれかであることを特徴とする請求項６３記載の楽曲情報の送信方法。
【請求項６５】
前記楽曲データベースは、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項６３又は６４記載の楽曲情報の送信方法。
【請求項６６】
端末装置からの所望の曲データを含む楽曲情報を追加したい旨の要求および当該端末の識別情報を受信するステップと、
前記端末の曲要求および前記端末の識別情報に基づいて当該端末装置に対して課金を行うステップを備えることを特徴とする請求項６３〜６５のいずれか一項記載の楽曲情報の送信方法。
【請求項６７】
前記曲データを放送するスケジュールを示すスケジュールリストを、前記端末装置に対して放送するステップをさらに備えることを特徴とする請求項６３〜６６のいずれか一項記載の楽曲情報の送信方法。
【請求項６８】
送信すべき前記楽曲情報を選定する選定ステップを有することを特徴とする請求項６３〜６７のいずれか一項記載の楽曲情報の送信方法。
【請求項６９】
前記送信側記憶手段に格納すべき前記楽曲情報を選定かつ収集する選定ステップをさらに備えることを特徴とする請求項６３〜６７のいずれか一項記載の楽曲情報の送信方法。
【請求項７０】
前記選定ステップは、各楽曲提供事業者での放送回数に基づいて行うことを特徴とする請求項６８又は６９記載の楽曲情報の送信方法。
【請求項７１】
前記選定ステップは、これに連携する各楽曲提供事業者間で生成されるパワープレイ情報に基づいて行うことを特徴とする請求項６８又は６９記載の楽曲情報の送信方法。
【請求項７２】
前記選定ステップは、各楽曲提供事業者による各種人気ランキングに基づいて行うことを特徴とする請求項６８又は６９記載の楽曲情報の送信方法。
【請求項７３】
前記選定ステップは、各楽曲提供事業者間による新譜リリース情報に基づいて行うことを特徴とする請求項６８又は６９記載の楽曲情報の送信方法。
【請求項７４】
前記選定ステップは、端末装置からの曲要求に基づいて行うことを特徴とする請求項６８又は６９記載の楽曲情報の送信方法。
【請求項７５】
前記送信ステップは、前記楽曲情報を、常時繰り返して、または所定の日時に周期的に、送信することを特徴とする請求項６３〜７４のいずれか一項記載の楽曲情報の送信方法。
【請求項７６】
前記送信ステップは、前記楽曲情報を前記放送チャネルに乗せるためのフォーマットに変換して送信することを特徴とする請求項６３〜７５のいずれか一項記載の楽曲情報の送信方法。
【請求項７７】
前記選定ステップは、前記送信側記憶手段の全ての前記楽曲情報か、または該送信側記憶手段に最新に追加された差分楽曲情報か、のいずれかを選定することを特徴とする請求項６８記載の楽曲情報の送信方法。
【請求項７８】
曲データおよび楽曲データベースの少なくとも一方を含む楽曲情報を蓄積するための受信側記憶手段を具備する端末装置において、
放送波の特定チャネルに乗って送信される前記楽曲情報を受信するステップと、
受信した前記放送波から前記楽曲情報を抽出するステップと、
抽出された前記楽曲情報により前記受信側記憶手段内の情報を更新するステップと、
を備えることを特徴とする端末装置の楽曲情報更新方法。
【請求項７９】
前記楽曲データベース情報は、記録媒体を識別する識別情報と該識別情報に対応する楽曲メニュー情報とからなり、該楽曲メニュー情報は、タイトル名、アルバム名、アーティスト名、ジャンルの情報のいずれかを含むことを特徴とする請求項７８記載の端末装置の楽曲情報更新方法。
【請求項８０】
所望の曲データを含む楽曲情報を前記受信側記憶手段に追加したい旨の要求および当該端末の識別情報を送信するステップをさらに備えることを特徴とする請求項７８又は７９記載の端末装置の楽曲情報更新方法。
【請求項８１】
前記抽出ステップは、所定のフォーマットで前記放送波に挿入された前記楽曲情報を、そのフォーマットに従って抜き出すことを特徴とする請求項７８〜８０のいずれか一項記載の端末装置の楽曲情報更新方法。
【請求項８２】
前記更新ステップは、受信した楽曲情報にて前記受信側記憶手段を書き換えるか又は前記受信側記憶手段に蓄積することを特徴とする請求項７８〜８１のいずれか一項記載の端末装置の楽曲情報更新方法。
【請求項８３】
前記更新ステップは、受信した楽曲情報の中から未収録の楽曲情報を割り出してこれを最新に追加された差分楽曲情報として前記受信側記憶手段に蓄積することを特徴とする請求項７８〜８１のいずれか一項記載の端末装置の楽曲情報更新方法。
【請求項８４】
前記更新ステップは、前記送信装置側から常時繰り返して、または所定の日時に周期的に送信される前記楽曲情報または前記差分楽曲情報を一旦保持し、これらの情報が既に受信済みの情報と同一でないことを検出したとき、前記受信側記憶手段に蓄積することを特徴とする請求項８２又は８３記載の端末装置の楽曲情報更新方法。
【発明の詳細な説明】
【技術分野】
【０００１】
本発明は、楽曲情報の更新システム、楽曲情報の送信装置、楽曲情報の更新機能を有する端末装置、並びに楽曲情報の更新方法、楽曲情報の送信方法、端末装置の楽曲情報更新方法に関する。
【背景技術】
【０００２】
端末装置、特に車載用端末装置の発展は目覚しく、ネットワークコミュニケーションの高度化と共に、益々高機能化している。例えば、ナビゲーション、ＣＤ、ＭＤ、ＤＶＤ、ＭＰ３等ミュージックファイル等のオーディオ・ビジュアル機能、ＴＶ、ＦＭ・ＡＭ／ＦＭ多重／ＦＭ−ＶＩＣＳ等の放送受信機能、ＤＳＰ、イコライザ等の音場・音質調整機能等、オーディオとビジュアルそしてナビゲーションが一体になった高機能な車載用端末装置が既に市販されている。
【０００３】
本発明は例えば上記のような端末装置を対象とするものであり、この中でとりわけ上記各種オプション機能のうちの「オーディオ・ビジュアル機能」に着目するものである。
【０００４】
この「オーディオ・ビジュアル機能」は、上記端末装置に内蔵のメモリ例えばＨＤＤ（ハードディスク装置）と連携して実現されるものであり、このメモリには、「楽曲情報」が収録可能か又は予め収録されている。ここに楽曲情報とは、楽曲データベースの情報のことである。
【０００５】
図８は本発明で対象とする楽曲情報を説明するための図である。
【０００６】
本図においては、端末装置３０における、記録媒体（例えばＣＤ）１と、表示部２と、メモリ（例えばＨＤＤ）３のみを取り出し模式的に描いている。
【０００７】
このメモリ３内には、例えば曲データや約２３万曲分の楽曲データベースの情報が収録されている。この楽曲データベースには、記録媒体の識別情報（例えばＴＯＣ）と、この識別情報に対応する楽曲メニュー情報例えばタイトル名、アルバム名、トラック名、アーティスト名、ジャンルといった楽曲メニュー情報とが含まれる。したがって、本装置３０はこの楽曲データベース情報を用いて、いわゆるオートタイトリング機能を実現する、といったことも容易である。
【０００８】
すなわち本装置３０では、音楽記録媒体（例えば、ＣＤ）を、メモリ３に録音する際に、上記楽曲データベース情報も自動的に記録される。このために面倒なタイトル入力の手間を要することなく、該メモリ３内に音楽ライブラリのコンテンツを作成できる、という利便性を本装置３０のユーザに提供することができる。
【０００９】
本図中の〔１〕、〔２〕および〔３〕は、上述したオートタイトリング機能のプロセスの一例を３段階で表したものであり、
〔１〕において、ユーザが録音したい記録媒体１を本装置３０の挿入部（図示せず）に挿入すると、
〔２〕では、その記録媒体１内に記録されている識別情報、例えばＴＯＣ（Table Of Contents ）情報をもとに、メモリ３内の上記楽曲データベースから、楽曲メニュー情報を検索する。なお、このＴＯＣ情報には、通常、総演奏時間や収録楽曲の数やその収録位置が含まれる。
【００１０】
〔３〕では、上記検索によりその識別情報に一致した楽曲メニュー情報があれば、そこからタイトル名を抽出して、上記〔１〕にて記録媒体１から録音された曲データにそのタイトル名を付加することができる。ここに上記のオートタイトリングプロセスが完了する。
【００１１】
このように上記端末装置３０は、タイトル入力の手間いらず、といったサービスも提供できる。しかし、不都合な点もある。これは、上記曲データや楽曲データベース情報が予め収録されている場合、当該端末装置３０を車両に搭載した後にはこれに内蔵されたメモリ３のバージョンアップすなわち更新ができないという点と、また曲データを追加収録可能な場合は、追加収録が面倒であるという点である。つまり、曲データや楽曲データが予め収録されている場合はその後に発売された新譜の記録媒体については、メモリ３に対し上記のタイトル入力や曲データ入力ができない。あるいはその後に人気が出てきたリバイバルの記録媒体についてもそのタイトル入力やその曲データ入力はできない。また曲データを追加収録可能な場合には、ユーザが記録媒体販売店やレンタル店に出向き、購入またはレンタルし、収録作業を行わなければならない。
【００１２】
したがって、当該端末装置のユーザにとっては、その後の楽曲情報に関する追加等の更新が、簡単かつ手軽にしかも安価に行えることができれば非常に都合がよい。
【００１３】
これに応えることのできる従来手法について以下に述べる。
【００１４】
図９は楽曲情報の従来の更新手法（第１例）を示す図である。
【００１５】
この従来の第１例による更新手法によると、
〔１〕端末装置３０のユーザは、パソコン６から、インターネット上の記録媒体楽曲情報更新用サイト５へアクセスする。
【００１６】
〔２〕上記サイト５において、該ユーザが未だ入手していないタイトルデータベースや曲データベース、すなわち入手済みのタイトルデータベースや曲データベースに対する差分を抽出し、その差分タイトルデータベースや差分曲データベースを、パソコン６にダウンロードする。
【００１７】
〔３〕パソコン６にダウンロードした差分タイトルデータベースや差分曲データベースを、一旦、キャリングメディア７に移し替える。さらにユーザはそのキャリングメディア７を端末装置３０まで持って行き、ここで、その差分タイトルデータベースや差分曲データベースをメモリ３にインストールする。このキャリングメディア７は、例えばメモリスティック（登録商標）である。
【００１８】
ここに新譜等の新たな記録媒体のタイトルや記録媒体に収録されている曲のタイトルや曲が、メモリ３において更新収録される。
【００１９】
また、従来の第２例による更新手法によれば、ユーザは通信手段によって、楽曲／曲データベースを保有するセンターに直接接続して、差分タイトルデータベースや差分曲データベースを入手する。この通信手段は、例えば端末装置３０に直接連携する携帯電話である。
【００２０】
なお本発明に関連する公知技術としては、下記の特許文献１および２がある。しかしいずれの公知技術も、後述する説明から明らかになるとおり、「曲データおよび楽曲データベース情報の少なくとも一方を含む楽曲情報を蓄積する送信側記憶手段と、該楽曲情報を放送チャネルに乗せて放送する送信手段と、を有する送信装置と、
前記放送チャネルの放送波を受信する受信手段と、受信した該放送波から前記楽曲情報を抽出する抽出手段と、抽出された該楽曲情報により受信側記憶手段内の情報を更新する更新手段と、を有する端末装置と」からなる本発明の楽曲情報更新システムとは異なる。
【００２１】
ちなみに、特許文献１に係るシステムにおいては、ＦＭ多重放送を受信するチューナーにて、ＦＭ信号から音楽配信に関する情報を復調し、そのデータを通信機能付きＨＤＤレコーダに送信する。この通信機能付きＨＤＤレコーダは、そのデータに基づいてネットワーク接続ソフトウェアを起動してそのデータに含まれる音楽データ配信元ダウンロードサーバのＵＲＬに対して接続する。これにより、音楽データのダウンロードを受ける。
【００２２】
また、特許文献２の装置は、複数の娯楽施設や特定エリア等で開催される各種のイベントに関するイベント情報や天気予報等の日替わり情報を、文字情報として、情報センターから送信される放送を受信するようにした車載用情報端末装置である。
【００２３】
【特許文献１】特開２００１−２９８４３０号公報
【特許文献２】特開平１１−３０５２４号公報
【発明の開示】
【発明が解決しようとする課題】
【００２４】
上記従来の第１例による更新手法（図９）によると、前述した「簡単かつ手軽に」といったユーザからの要請を満足できない、という問題がある。
【００２５】
また上記従来の第２例による更新手法（直接通信）によると、前述した「手軽にしかも安価に」といったユーザからの要請を満足できない、という問題がある。
【００２６】
なぜなら、上記従来の第１例による更新手法によると、
・パソコン６およびインターネット環境と、メモリスティック（登録商標）等のキャリングメディア７が必要であり、
・ユーザ自らデータを、記録媒体楽曲情報更新用サイト５からダウンロードする必要があり、
・また、上記キャリングメディア７を使って端末装置３０をバージョンアップする手間が必要となる、
からである。
【００２７】
また、上記従来の第２例による更新手法によると、
・端末装置３０を搭載する車両の中から、携帯電話を使って、楽曲／曲データベースを保有するセンターに接続する手間が必要であり、
・またセンターからデータをダウンロードするための通信料が必要となる、
からである。
【００２８】
したがって本発明は、上記問題点に鑑み、楽曲情報を保有する端末装置において、新譜の記録媒体（例えばＣＤ）のリリース等に起因してその楽曲情報を格納するメモリを更新する必要があるとき、その更新を簡単かつ手軽にしかも安価に行うことのできる楽曲情報更新システムを提供することを目的とするものである。
【課題を解決するための手段】
【００２９】
図１は本発明に係る楽曲情報の更新システムを示す基本構成図である。
【００３０】
本図において、参照番号１０が楽曲情報の更新システムであり、大別して、送信装置２０と端末装置３０（図８および図９）からなる。
【００３１】
送信装置２０は、曲データおよび楽曲データベース情報の少なくとも一方を含む楽曲情報を蓄積する送信側記憶手段２１と、この楽曲情報を放送チャネルに乗せて放送する送信手段２３と、を有して構成される。
【００３２】
一方端末装置３０は、上記放送チャネルの放送波を受信する受信手段３１と、受信した放送波から上記楽曲情報を抽出する抽出手段３２と、抽出された楽曲情報により受信側記憶手段３４内の情報を更新する更新手段３３と、を有して構成される。
【００３３】
このように本発明の更新システム１０は、一般的なインフラである放送波を利用して、楽曲情報の配信さらには受信側記憶手段３４の更新を行うものである。
【００３４】
このために、楽曲情報の提供側（送信装置２０側）としては、曲データやデータベース情報を放送波にて送信する機能が必要である。
【００３５】
またユーザ側（端末装置３０側）としては、放送波を受信する機能と、その受信した放送波から楽曲情報を抽出する機能と、その抽出した楽曲情報を受信側記憶手段３４に記録する機能が必要である。
【００３６】
上記の諸機能を備えることにより、ユーザ側（端末装置３０側）、楽曲情報の提供側（送信装置２０側）およびユーザ自身において、下記の特徴が得られる。
【００３７】
まずユーザ側（端末装置３０側）では、
・一般の放送波を受信できれば、特殊なハードは不要である。
【００３８】
・アルバム単位での曲データや楽曲データベースの取得や追加が可能なため、長時間、放送波を受信し続ける必要がない。
【００３９】
次に楽曲情報の提供側（送信装置２０側）では、
・専用のインフラ設備が不要であり、新たな設備投資は不要である。
【００４０】
・任意の条件にて曲又は楽曲データベースから抽出することにより、放送局毎に特徴あるデータベースの配信が可能となり、また、発売前の記録媒体でもデータベースがあれば配信が可能である。
【００４１】
・データベースを１アルバム単位とすることにより、放送局の負荷は少なくてすむ。
【００４２】
さらにユーザ自身について見てみると、
・手軽に簡単に安く、曲データや楽曲データベースの追加が可能となる。なお、曲データの場合は著作権上、無料とすることは困難であるが、楽曲データベースの場合は無料とすることが可能である。
【００４３】
・放送波を受信するだけで、曲やデータベースを入手できるため、特別な操作等は不要である。
【００４４】
・送信媒体が一般的なインフラである放送波なので、曲やデータベースを入手するための通信費用は不要であり、また、前述したメモリスティック等のデータベース記録メディアも不要となる。また曲データについては実費だけを払えばよい。
【００４５】
かくして図１に示す端末装置３０を保有するユーザの全てが、簡単かつ手軽にしかも安価に、受信側記憶手段３４の更新を実現することが可能となる。
【発明の効果】
【００４６】
（１）上述のとおり本発明においては、一般的なインフラである放送波を利用するため、
・ユーザは通信費等を負担することなく、楽曲情報を入手することができ、
・製品にインストールするための記録メディアを必要とせず、
・パソコンを用いたダウンロード等による従来の更新の場合では、インターネット接続、データファイルのダウンロード、記録メディアの移動、端末装置へのインストール、といった作業が必要であるが、本発明は放送波を受信するだけなので、複雑な操作や知識は不要であり、
・放送局側に、本発明のサービスを実施するための新たな設備や投資は一切必要とせず、
・既に完成されたインフラ網を利用するため、全国規模でのサービス展開が可能となり、
・端末装置側は一般のラジオ／ＴＶ／デジタル放送を受信できさえすれば、新たなハードウェアは全く不要である。
【００４７】
（２）また本発明においては、配信用の楽曲情報を１タイトル単位とすることによって、
・放送にかかる負担を低減することができ、
・長時間、連続して放送を受信する必要がない。
【発明を実施するための最良の形態】
【００４８】
図２は図１に示す送信装置２０をより具体的に示す図である。
【００４９】
本図において、図示する送信装置２０は、楽曲情報の更新システム１０における送信側をなす送信装置であって、送信側記憶手段２１と送信手段２３が主たる手段である。
【００５０】
送信側記憶手段２１は、曲データおよび楽曲データベースの少なくとも一方を含む楽曲情報を蓄積するものであり、
送信手段２３は、上記の楽曲情報を、更新システム１０の受信側（３０）でダウンロード可能に、放送チャネルに乗せて送信するものである。
【００５１】
送信側記憶手段２１はデータベース源２４を内蔵しており、ここには曲データベース（ＤＢ）と、楽曲データベース（ＤＢ）とを少なくとも収容している。この楽曲データベースは、記録媒体を識別する識別情報（ＴＯＣ）と該識別情報に対応する楽曲メニュー情報とからなる。さらにこの楽曲メニュー情報は、タイトル名、アルバム名、アーティスト名、ジャンル等の情報を含んでいる。
【００５２】
このように送信側記憶手段２１に収容された楽曲情報は、上記送信手段２３により、上記放送チャネルに乗せて、受信側（３０）に送信される。
【００５３】
ここに放送チャネルとは、
（ｉ）ラジオ放送のうち予め設定された特定チャネルであり、
（ii）ＴＶ放送のうち予め設定された特定チャネルであり、あるいは
（iii ）デジタル放送中に予め設定された付加情報搬送用の特定チャネルである。
【００５４】
上記放送チャネルに乗せるべき楽曲情報は、端末装置３０を保有する各ユーザにとって共通に更新を望む楽曲情報であることがきわめて望ましい。そこで、図２に示すとおり、送信手段２３から送信すべき楽曲情報を送信側記憶手段２１から抽出する選定手段２２をさらに備えるようにする。なお、データベース源２４を送信側記憶手段２１とは別に設け、選定手段２２により送信すべき楽曲情報をデータベース源２４から抽出し、送信側記憶手段２１に記憶して、送信手段２３に送ってもよい。
【００５５】
この選定手段２２は、種々の楽曲提供事業者２５Ａ，２５Ｂ…２５Ｎや端末装置からの諸情報をもとに、更新対象とすべきすなわち送信すべき楽曲を選定する。具体的には次の５つの選定態様が考えられる。
【００５６】
（ｉ）選定手段による選定は、各楽曲提供事業者２５での放送回数に基づいて行うようにする。
【００５７】
（ii）選定手段による選定は、これに連携する各楽曲提供事業者間で生成されるパワープレイ情報に基づいて行うようにする。
【００５８】
（iii ）選定手段による選定は、各楽曲提供事業者による各種人気ランキングに基づいて行うようにする。
【００５９】
（iv）選定手段による選定は、各楽曲提供事業者による新譜リリース情報に基づいて行うようにする。
【００６０】
（ｖ）選定手段による選定は、端末装置からのリクエストランキングに基づいて行うようにする。
【００６１】
上記（ｉ）の「放送回数」には、ラジオ、ＴＶのみならず有線放送によるものを含めてもよい。
【００６２】
上記（ii）の「パワープレイ情報」とは、事業者間での営業上の協議によって決まる情報である。
【００６３】
上記（iii ）の「人気ランキング」には、カラオケ店でのランキングやＣＤの売上げ状況レポートに基づくランキング等がある。
【００６４】
上記（iv）の「新譜リリース情報」はレコード会社からのものである。
【００６５】
かくして選定された楽曲情報は送信手段２３から受信側に送り出されることになるが、送信手段２３はその楽曲情報を、常時繰り返して、または所定の日時（土、日、祝日等）に周期的に、送信するようにする。この送信には所定のフォーマットを用いる。
【００６６】
このため送信手段２３は、図２に示すように、楽曲情報を放送チャネルに乗せるために上記フォーマットに変換する変換機能部２６をさらに備える。なお、送信手段２３に対して選定手段２３が送出すべき楽曲情報は、送信側記憶手段２１の全ての楽曲情報か、または送信側記憶手段２１に最新に追加された差分楽曲情報か、のいずれかである。
【００６７】
図３は図１に示す端末装置３０をより具体的に示す図である。
【００６８】
本図において、図示する端末装置３０は、楽曲情報の更新システム１０における受信側をなす端末装置であって、図示する４つの手段３１〜３４からなる。
【００６９】
受信側記憶手段３４は、曲データおよび楽曲データベースの少なくとも一方を含む楽曲情報を蓄積するものであり、
受信手段３１は、放送波の特定チャネルに乗って送信される楽曲情報を受信するものであり、
抽出手段３２は、受信した上記の放送波から楽曲情報を抽出するものであり、
更新手段３３は、抽出された楽曲情報により受信側記憶手段３４内の情報を更新するものである。
【００７０】
前述したように送信装置２０側からは所定のフォーマットで楽曲情報が送られてくるから、抽出手段３２では、その所定のフォーマットで上記の放送波に挿入された楽曲情報を、そのフォーマットに従って抜き出す。
【００７１】
抽出手段３２から抜き出された楽曲情報は、更新手段３３によって、受信側記憶手段３４に対する更新がなされ、曲データについては音声出力部８より出力され、楽曲メニューについては表示部２に表示される。この更新の態様には、以下の３パターンがある。
【００７２】
（ｉ）更新システム１０における送信装置２０側の送信側記憶手段２１からその全ての楽曲情報を受信したときは、更新手段３３は、受信側記憶手段３４を、その全ての楽曲情報にて書き換えるようにする。なお、このパターンは、送信側記憶手段２１が差分楽曲情報を格納している場合には適用できない。
【００７３】
（ii）更新システム１０における送信装置２０側の送信側記憶手段２１からその全ての楽曲情報を受信したときは、更新手段３３は、その中から未収録の楽曲情報を割り出してこれを最新に追加された差分楽曲情報として受信側記憶手段３４に蓄積するようにする。
【００７４】
（iii ）更新システム１０における送信装置２０側の送信側記憶手段２１から最新に追加された差分楽曲情報を受信したときは、更新手段３３は、前記受信側記憶手段にその差分楽曲情報を追加して蓄積するようにする。
【００７５】
この場合、前述したように、送信装置２０側からは楽曲情報または差分楽曲情報が常時繰り返して、または所定の日時に周期的に送信されてくるので、更新手段３３は、これらの情報を一旦保持する。そしてこれらの情報が既に受信済みの情報と同一でないことを検出したときに、受信側記憶手段３４に蓄積するようにする。
【００７６】
なお、この放送波の受信は、上記楽曲情報サービスを受けることが許可されているユーザに限定されてもよい。この場合、受信手段３１は、送信装置２０側で放送チャネルにカギがかけられた放送波を受信し、そのカギで解いた放送チャネルから楽曲情報を復調し、抽出手段３２に出力するようにする。つまりこのカギを保持していないユーザは本サービスを受けることができない。このカギは、予め端末装置３０内に設定されていてもよいし、カギを購入して端末装置に設定するようにしてもよい。
【００７７】
以上、本発明を装置構成という観点から図１〜図３を参照して説明したが、本発明は新規な方法としても促えることができる。以下、その方法について説明する。
【００７８】
〔Ａ〕本発明に係る方法は、送信装置２０と端末装置３０とを備える楽曲情報の更新システム１０における楽曲情報の更新方法であり、送信装置２０においては、
ステップＳ１１：曲データおよび楽曲データベースの少なくとも一方を含む楽曲情報を蓄積する。
【００７９】
ステップＳ１２：楽曲情報を、放送チャネルに乗せて放送する。
【００８０】
また、楽曲情報を蓄積するための受信側記憶手段３４を具備する端末装置３０においては、
ステップＳ２１：放送チャネルの放送波を受信する。
【００８１】
ステップＳ２２：受信したその放送波から上記の楽曲情報を抽出する。
【００８２】
ステップＳ２３：抽出された楽曲情報により受信側記憶手段３４内の情報を更新する。
【００８３】
（ａ）前記の送信するステップＳ１２は、送信すべき楽曲情報を選定するステップを有するのが好ましい。この選定ステップは、送信すべき楽曲情報を送信側記憶手段から抽出する選定ステップ、あるいは、送信側記憶手段に格納すべき楽曲情報を選定かつ収集する選定ステップである。
【００８４】
（ｂ）該選定ステップは、各楽曲提供事業者での放送回数に基づいて行うことができる。
【００８５】
該選定ステップは、これに連携する各楽曲提供事業者間で生成されるパワープレイ情報に基づいて行うこともできる。
【００８６】
該選定ステップは、各楽曲提供事業者による各種人気ランキングに基づいて行うこともできる。
【００８７】
該選定ステップは、各楽曲提供事業者による新譜リリース情報に基づいて行うこともできる。
【００８８】
該選定ステップは、端末装置からの曲要求に基づいて楽曲情報の選定を行うこともできる。
【００８９】
（ｃ）前記の放送ステップＳ１２は、楽曲情報を、常時繰り返して、または所定の日時に周期的に、送信する。
【００９０】
前記の送信ステップＳ１２では、また、楽曲情報を放送チャネルに乗せるためのフォーマットに変換する。
【００９１】
（ｄ）上記（ａ）の選定ステップは、送信側記憶手段２１の全ての楽曲情報か、または送信側記憶手段２１に最新に追加された差分楽曲情報か、のいずれかを選定する。
【００９２】
〔Ｂ〕本発明に係る方法は、送信装置２０と端末装置３０とを備える楽曲情報の更新システム１０における楽曲情報の更新方法であり、ここに、楽曲情報を蓄積するための受信側記憶手段３４を具備する端末装置３０においては、
ステップＳ３１：送信装置２０側より放送波の特定チャネルに乗って送信される楽曲情報を受信する。
【００９３】
ステップＳ３２：受信した上記の放送波から楽曲情報を抽出する。
【００９４】
ステップＳ３３：抽出された楽曲情報により受信側記憶手段３４内の情報を更新する。
【００９５】
（ａ）前記の抽出ステップＳ３２では、所定のフォーマットで放送波に挿入された楽曲情報を、そのフォーマットに従って抜き出す。
【００９６】
（ｂ）前記の更新ステップＳ３３では、送信装置２０側の送信側記憶手段２１からその全ての楽曲情報を受信したとき、受信側記憶手段３４を、その全ての楽曲情報にて書き換える。
【００９７】
前記の更新ステップＳ３３では、また、送信装置２０側の送信側記憶手段２１からその全ての楽曲情報を受信したとき、その中から未収録の楽曲情報を割り出してこれを最新に追加された差分楽曲情報として受信側記憶手段３４に蓄積することもできる。
【００９８】
前記の更新ステップＳ３３では、さらにまた、送信装置２０側の送信側記憶手段２１から最新に追加された差分楽曲情報を受信したとき、受信側記憶手段３４にその差分楽曲情報を追加して蓄積することもできる。
【００９９】
なお前記の更新ステップＳ３３では、送信装置２０側から常時繰り返して、または所定の日時に周期的に送信される楽曲情報または差分楽曲情報を一旦保持し、そしてこれらの情報が既に受信済みの情報と同一でないことを検出したときに受信側記憶手段３４に蓄積するようにする。
【０１００】
再び図２および図３を参照すると、図２においては曲要求受信部２７、課金処理部２８およびスケジュール送信部２９が示され、また、図３においては曲要求送信部３５が示されている。
【０１０１】
本発明においては、楽曲データベース情報のみならず曲データまでも、更新の対象としている。しかし、著作権等の観点から、曲データの配信については有料とする必要がある。上記の構成要素２７，２８，２９および３５はそのために導入されたものである。
【０１０２】
図２において、曲要求受信部２７は、端末装置３０からの曲データを含む楽曲情報を蓄積したい旨の要求を、当該端末ＩＤ情報と共に、受信するものである。また課金処理部２８は、曲要求受信部２７が受信した端末ＩＤ情報に基づいて当該端末装置に対して課金を行うものである。なお、曲要求受信部２７は、選定手段２２に対して曲要求を選定条件として出力してもよい。
【０１０３】
一方図３において、曲要求送信部３５は、操作部９により入力された、曲データを含む楽曲情報を蓄積したい旨の要求を、当該端末ＩＤ情報と共に、楽曲情報の送信側に送信するものである。
【０１０４】
さらに好ましくは上記スケジュール送信部２９を備える。該送信部２９は、当該曲データを送信するスケジュールを示すスケジュールリストを、当該端末装置に対して送信するものである。
【０１０５】
このようにスケジュールリストを必要とするのは、曲データの情報量が楽曲データベースの情報量に比べて格段に大であり、常時繰り返し送信するといったことが困難であるからである。したがって配信のスケジュールを決めて、効率のよい曲データの送信を行うようにする。
【０１０６】
図４は端末装置３０の動作の一例を示すフローチャートである。なお本図中、点線の枠内のステップは、曲データを蓄積したい旨の要求をし、曲データを蓄積する場合に必要となるステップである。
【０１０７】
本図において、曲データを蓄積したい旨の要求をし、曲データを蓄積しないとき（楽曲メニュー情報を受信して更新する場合等）は、
ステップＳ４１：楽曲情報を受信すると、
ステップＳ４７：それを記憶手段３４に追加して、更新を完了する。
【０１０８】
一方、曲データを蓄積したい旨の要求をし、曲データを蓄積する場合は、ステップＳ４１の後、
ステップＳ４２：前述したスケジュールリストすなわち送信スケジュールを表示部２（図３）に表示し、
ステップＳ４３：その中から、ダウンロードすべき楽曲情報（曲データ）を選択する。この選択は、表示部２上か、または操作部９にて行う。
【０１０９】
なお操作部９は表示部２上のＧＵＩに全て含ませてもよい。
【０１１０】
ステップＳ４４：上記の選択後は、所望の曲データを受信するときまで待つ。
【０１１１】
ステップＳ４５：また同時に、前述した端末ＩＤ情報を曲要求送信部３５から送信装置２０側に送信する。このＩＤの送信は、前述のとおり、課金処理部２８での課金処理のために行われる。
【０１１２】
ステップＳ４６：上記のスケジュールのもとで所望の曲データを含む楽曲情報を受信し、ステップＳ４７に至り、所望の曲データを含む楽曲情報を記憶手段３４に追加して更新を行う。
【０１１３】
一方これに対応する送信装置３０の動作は次のとおりである。
【０１１４】
図５は送信装置２０の動作（曲データ送信時）の一例を示すフローチャートである。
【０１１５】
本図において、
ステップＳ５１：図４のステップＳ４５に基づく端末ＩＤ情報を曲要求受信部２７（図２）にて受信する。
【０１１６】
ステップＳ５２：その端末ＩＤ情報を課金処理部２８（図２）に転送し、ここで当該端末装置への課金処理を行う。
【０１１７】
なお曲データの送信の有無を問わず、送信装置２０は次のように動作する。
【０１１８】
図６は送信装置２０の通常時の動作例を示すフローチャートである。ただしこの動作例は、前述したステップＳ１１およびＳ１２と、これに関連するステップの説明をフローチャートに表したものである。
【０１１９】
ステップＳ６１：図２において、選定手段２２が、各楽曲提供事業者２５Ａ，２５Ｂ…から、更新対象とすべき記録媒体を選定するための情報収集を行う。
【０１２０】
ステップＳ６２：図２の選定手段２２は、その選定が終わると、更新対象の楽曲情報を決定する。
【０１２１】
ステップＳ６３：その決定に基づき、選定手段２２は、記憶手段２１のデータベース２４から当該楽曲情報を読み出す。
【０１２２】
ステップＳ６４：読み出した楽曲情報を放送波に乗せるべく、変換機能部２６にて所定の送信フォーマットに変換する。
【０１２３】
ステップＳ６５：さらに送信手段２３より放送チャネルに乗せて受信側（３０）に送信する。
【０１２４】
以上本発明に係る更新システム１０の主要部分を個別に説明したので、最後にこの更新システム１０の全体概要を示す。なお本発明の更新サービスを受けるためには、放送局といった公共的インフラを含む送信装置２０と、そのサービスを受けるユーザ個々の端末装置３０との間で、両者間の秘匿性を保つためのいわゆるカギ機構が当然存在しなければならないが、これにはスクランブラ−デスクランブラといった周知の手段を導入すればよい。
【０１２５】
図７は本発明に係る更新システム１０の一層具体的な全体構成を示す図である。
【０１２６】
本図において、既に説明した図２および図３での対応部分については、同一の参照番号を付して示す。
【０１２７】
更新システム１０は、右側の送信装置２０と左側の端末装置３０とこれら装置を結ぶ無線区間（放送チャネル）とからなる。
【０１２８】
送信装置２０は、本図では事業者２１が保有する設備および機器からなる。事業者２４−１は、前述した曲データベースを保有し、事業者２４−２は前述した送信用楽曲データベースを保有し、事業者２３Ｂは放送設備を保有する。
【０１２９】
事業者２２Ｂは、１つにはオンエア情報をもとにして更新すべき楽曲を選択し、該当の楽曲データベースを事業者２４−２に対して要求しこれを切り出して、自内のデータベース２２ＤＢに格納する。このことは事業者２４−１に対する曲データベース（曲ＤＢ）についても同様である。さらにその楽曲情報を配信データとして事業者２３Ｂに転送する。さらに事業者２３Ｂは、放送チャネルに乗せてその楽曲情報を端末装置３０側に放送する。該装置３０はこれを受信して自内の受信側記憶手段３１に蓄積する。ユーザは蓄積された情報を表示部２において確認することができる。
【産業上の利用可能性】
【０１３０】
本発明によれば、外部の楽曲情報源からユーザ側に対し、放送波を通して好みの楽曲情報を配信するサービスを実現する場合に利用することができる。
【図面の簡単な説明】
【０１３１】
【図１】本発明に係る楽曲情報の更新システムを示す基本構成図である。
【図２】図１に示す送信装置２０をより具体的に示す図である。
【図３】図１に示す端末装置３０をより具体的に示す図である。
【図４】端末装置３０の動作の一例を示すフローチャートである。
【図５】送信装置２０の動作（曲データ送信時）の一例を示すフローチャートである。
【図６】送信装置２０の通常時の動作例を示すフローチャートである。
【図７】本発明に係る更新システム１０の一層具体的な全体構成を示す図である。
【図８】本発明で対象とする楽曲情報を説明するための図である。
【図９】楽曲情報の従来の更新手法（第１例）を示す図である。
【符号の説明】
【０１３２】
１…記録媒体（ＣＤ）
２…表示部
３…メモリ（ＨＤＤ）
９…操作部
１０…更新システム
２０…送信装置
２１…送信側記憶手段
２２…選定手段
２３…送信手段
２４…データベース源
２５…楽曲提供事業者
２６…変換機能部
２７…曲要求受信部
２８…課金処理部
２９…スケジュール送信部
３０…端末装置
３１…受信手段
３２…抽出手段
３３…更新手段
３４…受信側記憶手段
３５…曲要求送信部
【図１】
2005070416.tif 000003
【図２】
2005070416.tif 000004
【図３】
2005070416.tif 000005
【図４】
2005070416.tif 000006
【図５】
2005070416.tif 000007
【図６】
2005070416.tif 000008
【図７】
2005070416.tif 000009
【図８】
2005070416.tif 000010
【図９】
2005070416.tif 000011